(57)【要約】【課題】ＤＳＰの設定に要するユーザの負担を軽減する。【解決手段】録音再生装置は、曲の音声データの属性情報を記録手段３に記録する属性情報記録手段５と、実行すべき音場処理又は周波数特性処理をアンプ装置２１のＤＳＰ２３に対して指定するＤＳＰプログラムパラメータと属性情報とを対応付けたルールテーブルを作成するルールテーブル作成手段６と、再生対象となる音声データの属性情報に対応するＤＳＰプログラムパラメータをルールテーブルから取得するＤＳＰプログラムパラメータ取得手段８と、ＤＳＰプログラムパラメータをアンプ装置のＤＳＰに設定する制御手段１２とを有する。【選択図】　　　　図１
2004085893.tif 000002
【特許請求の範囲】
【請求項１】
記録手段に記録される曲の音声データの属性情報を前記記録手段に記録する属性情報記録手順と、
実行すべき音場処理又は周波数特性処理をアンプ装置のデジタルシグナルプロセッサ（ＤＳＰ）に対して指定するＤＳＰプログラムパラメータと前記属性情報とを対応付けたルールテーブルを作成するルールテーブル作成手順と、
前記記録手段から読み出した音声データを前記アンプ装置に出力する再生時、再生対象となる曲の音声データの属性情報を前記記録手段から取得し、この属性情報に対応するＤＳＰプログラムパラメータを前記ルールテーブルから取得するＤＳＰプログラムパラメータ取得手順と、
前記取得したＤＳＰプログラムパラメータを前記アンプ装置のＤＳＰに設定するＤＳＰプログラムパラメータ設定手順とを実行することを特徴とする録音再生方法。
【請求項２】
記録手段に記録される曲の音声データの属性情報を前記記録手段に記録する属性情報記録手順と、
実行すべき音場処理又は周波数特性処理をアンプ装置のデジタルシグナルプロセッサ（ＤＳＰ）に対して指定するＤＳＰプログラムパラメータと前記処理の開始時間を指定する処理開始時間と前記属性情報とを対応付けたルールテーブルを作成するルールテーブル作成手順と、
前記記録手段から読み出した音声データを前記アンプ装置に出力する再生時、再生対象となる曲の音声データの属性情報に対応し、かつ音声データの再生経過時間と一致した処理開始時間に対応するＤＳＰプログラムパラメータを前記ルールテーブルから取得するＤＳＰプログラムパラメータ取得手順と、
前記取得したＤＳＰプログラムパラメータを前記アンプ装置のＤＳＰに設定するＤＳＰプログラムパラメータ設定手順とを実行することを特徴とする録音再生方法。
【請求項３】
請求項１又は２記載の録音再生方法において、
前記曲の音声データの再生中に、前記アンプ装置の音場処理又は周波数特性処理が変更された場合、この変更された処理を示すＤＳＰプログラムパラメータと前記再生中の音声データの属性情報とを対応付けて前記ルールテーブルに登録する学習手順を実行することを特徴とする録音再生方法。
【請求項４】
請求項１又は２記載の録音再生方法において、
前記曲の音声データの属性情報は、曲を識別する曲情報、アルバムを識別するアルバム情報、アーティストを識別するアーティスト情報、ジャンルを識別するジャンル情報を含むことを特徴とする録音再生方法。
【請求項５】
請求項１又は２記載の録音再生方法において、
前記曲の音声データの属性情報は、この音声データが前記記録手段に記録される際の圧縮方式を示す圧縮方式情報を含むことを特徴とする録音再生方法。
【請求項６】
音声データの記録再生が可能な記録手段と、
この記録手段に記録される曲の音声データの属性情報を前記記録手段に記録する属性情報記録手段と、
実行すべき音場処理又は周波数特性処理をアンプ装置のデジタルシグナルプロセッサ（ＤＳＰ）に対して指定するＤＳＰプログラムパラメータと前記属性情報とを対応付けたルールテーブルを作成するルールテーブル作成手段と、
前記記録手段から読み出した音声データを前記アンプ装置に出力する再生時、再生対象となる曲の音声データの属性情報を前記記録手段から取得し、この属性情報に対応するＤＳＰプログラムパラメータを前記ルールテーブルから取得するＤＳＰプログラムパラメータ取得手段と、
前記取得したＤＳＰプログラムパラメータを前記アンプ装置のＤＳＰに設定するＤＳＰプログラムパラメータ設定手段とを有することを特徴とする録音再生装置。
【請求項７】
音声データの記録再生が可能な記録手段と、
この記録手段に記録される曲の音声データの属性情報を前記記録手段に記録する属性情報記録手段と、
実行すべき音場処理又は周波数特性処理をアンプ装置のデジタルシグナルプロセッサ（ＤＳＰ）に対して指定するＤＳＰプログラムパラメータと前記処理の開始時間を指定する処理開始時間と前記属性情報とを対応付けたルールテーブルを作成するルールテーブル作成手段と、
前記記録手段から読み出した音声データを前記アンプ装置に出力する再生時、再生対象となる曲の音声データの属性情報に対応し、かつ音声データの再生経過時間と一致した処理開始時間に対応するＤＳＰプログラムパラメータを前記ルールテーブルから取得するＤＳＰプログラムパラメータ取得手段と、
前記取得したＤＳＰプログラムパラメータを前記アンプ装置のＤＳＰに設定するＤＳＰプログラムパラメータ設定手段とを有することを特徴とする録音再生装置。
【請求項８】
請求項６又は７記載の録音再生装置において、
前記曲の音声データの再生中に、前記アンプ装置の音場処理又は周波数特性処理が変更された場合、この変更された処理を示すＤＳＰプログラムパラメータと前記再生中の音声データの属性情報とを対応付けて前記ルールテーブルに登録する学習手段を有することを特徴とする録音再生装置。
【請求項９】
請求項６又は７記載の録音再生装置において、
前記曲の音声データの属性情報は、曲を識別する曲情報、アルバムを識別するアルバム情報、アーティストを識別するアーティスト情報、ジャンルを識別するジャンル情報を含むことを特徴とする録音再生装置。
【請求項１０】
請求項６又は７記載の録音再生装置において、
前記曲の音声データの属性情報は、この音声データが前記記録手段に記録される際の圧縮方式を示す圧縮方式情報を含むことを特徴とする録音再生装置。
【発明の詳細な説明】
【０００１】
【発明の属する技術分野】
本発明は、例えばメモリやハードディスク等の記録手段に音声信号をデジタル記録し、記録した音声信号を再生する録音再生方法及び録音再生装置に関するものである。
【０００２】
【従来の技術】
近年、メモリやハードディスク等の記録手段に音声信号をデジタル記録し、記録した音声信号を再生することができる録音再生装置が普及している。
【０００３】
【発明が解決しようとする課題】
以上のような録音再生装置では、デジタルシグナルプロセッサ（以下、ＤＳＰとする）を利用して各種の音場処理又は周波数特性処理を、再生する曲の特性に応じて実行しようとすると、ＤＳＰのパラメータを曲毎に設定変更する必要があり、ユーザにとって非常に煩雑な作業になるという問題点があった。
【０００４】
本発明は、上記課題を解決するためになされたもので、ＤＳＰの設定に要するユーザの負担を軽減することができる録音再生方法及び録音再生装置を提供することを目的とする。
【０００５】
【課題を解決するための手段】
本発明の録音再生方法は、記録手段に記録される曲の音声データの属性情報を前記記録手段に記録する属性情報記録手順と、実行すべき音場処理又は周波数特性処理をアンプ装置のデジタルシグナルプロセッサ（ＤＳＰ）に対して指定するＤＳＰプログラムパラメータと前記属性情報とを対応付けたルールテーブルを作成するルールテーブル作成手順と、前記記録手段から読み出した音声データを前記アンプ装置に出力する再生時、再生対象となる曲の音声データの属性情報を前記記録手段から取得し、この属性情報に対応するＤＳＰプログラムパラメータを前記ルールテーブルから取得するＤＳＰプログラムパラメータ取得手順と、
前記取得したＤＳＰプログラムパラメータを前記アンプ装置のＤＳＰに設定するＤＳＰプログラムパラメータ設定手順とを実行するようにしたものである。
また、本発明の録音再生方法は、記録手段に記録される曲の音声データの属性情報を前記記録手段に記録する属性情報記録手順と、実行すべき音場処理又は周波数特性処理をアンプ装置のデジタルシグナルプロセッサ（ＤＳＰ）に対して指定するＤＳＰプログラムパラメータと前記処理の開始時間を指定する処理開始時間と前記属性情報とを対応付けたルールテーブルを作成するルールテーブル作成手順と、前記記録手段から読み出した音声データを前記アンプ装置に出力する再生時、再生対象となる曲の音声データの属性情報に対応し、かつ音声データの再生経過時間と一致した処理開始時間に対応するＤＳＰプログラムパラメータを前記ルールテーブルから取得するＤＳＰプログラムパラメータ取得手順と、前記取得したＤＳＰプログラムパラメータを前記アンプ装置のＤＳＰに設定するＤＳＰプログラムパラメータ設定手順とを実行するようにしたものである。
なお、前記ＤＳＰプログラムパラメータ取得手順は、前記ルールテーブルが作成された時点で制御対象としていたアンプ装置と再生時のアンプ装置の機種が異なる場合、アンプ装置の各機種のＤＳＰプログラムパラメータを対応付けたＤＳＰプログラム対応テーブルから、前記ルールテーブルから取得したＤＳＰプログラムパラメータに対応し、かつ再生時のアンプ装置に対応するＤＳＰプログラムパラメータを取得するようにしてもよい。
【０００６】
また、本発明の録音再生方法の１構成例は、前記曲の音声データの再生中に、前記アンプ装置の音場処理又は周波数特性処理が変更された場合、この変更された処理を示すＤＳＰプログラムパラメータと前記再生中の音声データの属性情報とを対応付けて前記ルールテーブルに登録する学習手順を実行するようにしたものである。なお、前記曲の音声データの再生中に、前記アンプ装置の音場処理又は周波数特性処理が変更された場合、この変更時までの前記曲の音声データの再生経過時間を処理開始時間と決定し、前記変更された処理を示すＤＳＰプログラムパラメータと前記決定した処理開始時間と前記再生中の音声データの属性情報とを対応付けて前記ルールテーブルに登録する学習手順を実行するようにしてもよい。
また、本発明の録音再生方法の１構成例において、前記曲の音声データの属性情報は、曲を識別する曲情報、アルバムを識別するアルバム情報、アーティストを識別するアーティスト情報、ジャンルを識別するジャンル情報を含むものである。
また、本発明の録音再生方法の１構成例において、前記曲の音声データの属性情報は、この音声データが前記記録手段に記録される際の圧縮方式を示す圧縮方式情報を含むものである。
【０００７】
また、本発明の録音再生装置は、音声データの記録再生が可能な記録手段と、この記録手段に記録される曲の音声データの属性情報を前記記録手段に記録する属性情報記録手段と、実行すべき音場処理又は周波数特性処理をアンプ装置のデジタルシグナルプロセッサ（ＤＳＰ）に対して指定するＤＳＰプログラムパラメータと前記属性情報とを対応付けたルールテーブルを作成するルールテーブル作成手段と、前記記録手段から読み出した音声データを前記アンプ装置に出力する再生時、再生対象となる曲の音声データの属性情報を前記記録手段から取得し、この属性情報に対応するＤＳＰプログラムパラメータを前記ルールテーブルから取得するＤＳＰプログラムパラメータ取得手段と、前記取得したＤＳＰプログラムパラメータを前記アンプ装置のＤＳＰに設定するＤＳＰプログラムパラメータ設定手段とを有するものである。
また、本発明の録音再生装置は、音声データの記録再生が可能な記録手段と、この記録手段に記録される曲の音声データの属性情報を前記記録手段に記録する属性情報記録手段と、実行すべき音場処理又は周波数特性処理をアンプ装置のデジタルシグナルプロセッサ（ＤＳＰ）に対して指定するＤＳＰプログラムパラメータと前記処理の開始時間を指定する処理開始時間と前記属性情報とを対応付けたルールテーブルを作成するルールテーブル作成手段と、前記記録手段から読み出した音声データを前記アンプ装置に出力する再生時、再生対象となる曲の音声データの属性情報に対応し、かつ音声データの再生経過時間と一致した処理開始時間に対応するＤＳＰプログラムパラメータを前記ルールテーブルから取得するＤＳＰプログラムパラメータ取得手段と、前記取得したＤＳＰプログラムパラメータを前記アンプ装置のＤＳＰに設定するＤＳＰプログラムパラメータ設定手段とを有するものである。
なお、前記ＤＳＰプログラムパラメータ取得手段は、前記ルールテーブルが作成された時点で制御対象としていたアンプ装置と再生時のアンプ装置の機種が異なる場合、アンプ装置の各機種のＤＳＰプログラムパラメータを対応付けたＤＳＰプログラム対応テーブルから、前記ルールテーブルから取得したＤＳＰプログラムパラメータに対応し、かつ再生時のアンプ装置に対応するＤＳＰプログラムパラメータを取得して、このＤＳＰプログラムパラメータを前記ＤＳＰプログラムパラメータ設定手段に渡すようにしてもよい。
【０００８】
また、本発明の録音再生装置の１構成例は、前記曲の音声データの再生中に、前記アンプ装置の音場処理又は周波数特性処理が変更された場合、この変更された処理を示すＤＳＰプログラムパラメータと前記再生中の音声データの属性情報とを対応付けて前記ルールテーブルに登録する学習手段を有するものである。なお、学習手段は、前記曲の音声データの再生中に、前記アンプ装置の音場処理又は周波数特性処理が変更された場合、この変更時までの前記曲の音声データの再生経過時間を処理開始時間と決定し、前記変更された処理を示すＤＳＰプログラムパラメータと前記決定した処理開始時間と前記再生中の音声データの属性情報とを対応付けて前記ルールテーブルに登録するようにしてもよい。
また、本発明の録音再生装置の１構成例において、前記曲の音声データの属性情報は、曲を識別する曲情報、アルバムを識別するアルバム情報、アーティストを識別するアーティスト情報、ジャンルを識別するジャンル情報を含むものである。
また、本発明の録音再生装置の１構成例において、前記曲の音声データの属性情報は、この音声データが前記記録手段に記録される際の圧縮方式を示す圧縮方式情報を含むものである。
【０００９】
【発明の実施の形態】
［第１の実施の形態］
以下、本発明の実施の形態について図面を参照して詳細に説明する。図１は、本発明の第１の実施の形態となる録音再生システムの構成を示すブロック図である。本実施の形態の録音再生システムは、アンプ装置からステータスを取得する機能とアンプ装置に対する制御機能を備えた録音再生装置１と、外部から音場処理又は周波数特性処理の制御が可能なアンプ装置２１と、アンプ装置２１によって駆動されるスピーカ３１とからなる。
【００１０】
録音再生装置１は、ＣＤドライブ装置２と、音声データの記録再生が可能なハードディスクやメモリ等の記録手段３と、記録手段３に音声データを記録する音声データ記録手段４と、曲の属性情報を曲単位の音声データと対応付けて記録手段３に記録する属性情報記録手段５と、実行すべき音場処理又は周波数特性処理をアンプ装置２１のデジタルシグナルプロセッサ（以下、ＤＳＰとする）に対して指定するＤＳＰプログラムパラメータと曲の属性情報とを対応付けたルールテーブルを作成するルールテーブル作成手段６と、再生時に記録手段３から音声データを読み出す再生手段７と、再生対象となる音声データの属性情報を記録手段３から取得し、この属性情報に対応するＤＳＰプログラムパラメータをルールテーブルから取得するＤＳＰプログラムパラメータ取得手段８と、ユーザが録音再生装置１に指示を与えるための入力手段９と、ユーザに対して情報を提示するための表示手段１０と、インターネットと接続するためのネットワークインタフェース手段（ＮＩ）１１と、録音再生装置全体を制御すると共にアンプ装置２１を制御する制御手段１２と、アンプ装置２１と双方向通信を行うための通信インタフェース手段１３とを有している。
ルールテーブル作成手段６は、再生時にはルールテーブルの学習を行う学習手段となる。また、制御手段１２は、ＤＳＰプログラムパラメータをアンプ装置２１のＤＳＰに設定するＤＳＰプログラムパラメータ設定手段となる。
【００１１】
アンプ装置２１は、複数の音源の中から所望の音声入力を選択するインプットセレクタ２２と、インプットセレクタ２２から出力された音声データに対して音場処理又は周波数特性処理を施すＤＳＰ２３と、ＤＳＰ２３から出力されたアナログ音声信号を増幅するパワーアンプ２４と、録音再生装置１と双方向通信を行うための通信インタフェース手段２５と、記憶手段２６と、アンプ装置全体を制御する制御手段２７とを有している。通信インタフェース手段１３と２５間の通信プロトコルとしては、例えばＲＳ−２３２Ｃがある。以下、ＤＳＰ２３の音場処理と周波数特性処理を総称してエフェクト処理と呼ぶ。
【００１２】
以下、図１の録音再生装置１の記録時の動作を説明する。図２は録音再生装置１の記録時の動作を示すフローチャートである。まず、ユーザは、ＣＤドライブ装置２にＣＤを挿入し、入力手段９を操作してＣＤを記録手段３に録音するよう要求する。制御手段１２は、ユーザの要求に応じて音声データ記録手段４を制御し、音声データ記録手段４は、ＣＤドライブ装置２に挿入されたＣＤから音声データを読み出して記録手段３に記録する（図２ステップＳ１）。ユーザが指定した曲（ＣＤの全曲又はその一部）の記録が終了するまで（ステップＳ２においてＹＥＳ）、ステップＳ１の処理が曲毎に行われる。
次に、属性情報記録手段５は、曲の属性情報を、ステップＳ１で記録した曲単位の音声データと対応付けて記録手段３の属性情報データベースに登録する（ステップＳ３）。曲の属性情報としては、曲情報、アーティスト情報、アルバム情報およびジャンル情報がある。
曲情報は、曲を識別するための固有の番号である曲ＩＤと曲名とを含む。アルバム情報は、アルバムを識別するための固有の番号であるアルバムＩＤとアルバム名とを含む。アーティスト情報は、アーティストを識別するための固有の番号であるアーティストＩＤとアーティスト名とを含む。ジャンル情報は、ジャンルを識別するための固有の番号であるジャンルＩＤとジャンル名とを含む。
【００１３】
図３は、属性情報データベースに登録された曲情報、アーティスト情報、アルバム情報およびジャンル情報の各属性情報の対応関係の１例を示す図である。属性情報データベースは、以下のルールに従って構築される。
（Ａ）曲単位の音声データと曲情報は、１対１で対応する。
（Ｂ）曲情報に対応するアルバム情報は、ただ１つである（曲は、１つのアルバムに属する）。
（Ｃ）アルバム情報に対応するアーティスト情報は、ただ１つである（アルバムは、１人のアーティストに属する。ただし、例外として複数アーティストのオムニバスアルバムの場合は複数のアーティストに属するものもある）。
（Ｄ）アルバム情報に対応するジャンル情報は、ただ１つである（アルバムは、１つのジャンルに属する）。
例えば、曲ＩＤ「ｍ１」の曲がアルバムＩＤ「ａ１」のアルバムに属し、このアルバムがアーティストＩＤ「ｒ１」のアーティスト及びジャンルＩＤ「ｊ１」のジャンルに属する場合、図３のような対応関係１００が属性情報データベースに登録される。こうして、各属性情報間の対応関係が属性情報データベースに登録される。
【００１４】
曲の属性情報（曲名、アルバム名、アーティスト名、ジャンル名）は、ＣＤドライブ装置２にＣＤが挿入されたときに、制御手段１２がネットワークインタフェース手段１１を介してインターネット上の音楽ＣＤインフォメーションデータサーバにアクセスすることにより取得することができる。制御手段１２は、音楽ＣＤインフォメーションデータサーバから取得した属性情報を属性情報記録手段５に渡す。
属性情報記録手段５は、制御手段１２から受け取った曲名、アルバム名、アーティスト名、ジャンル名にそれぞれ曲ＩＤ、アルバムＩＤ、アーティストＩＤ、ジャンルＩＤを付与して、記録手段３の属性情報データベースに登録する。なお、ユーザが入力手段９を操作して、曲の属性情報を入力し、属性情報記録手段５が入力された属性情報を属性情報データベースに記録するようにしてもよい。
【００１５】
次に、ルールテーブル作成手段６は、曲の属性情報と、実行すべきエフェクト処理を制御対象のアンプ装置２１に搭載されたＤＳＰ２３に対して指定するＤＳＰプログラムパラメータと、制御対象のアンプ装置２１を識別するための固有の番号である機種ＩＤとを対応付けたルールテーブルを記録手段３上に作成する（ステップＳ４）。
図４はルールテーブルの１例を示す図である。ルールテーブルには、曲情報（曲ＩＤ）とＤＳＰプログラムパラメータと機種ＩＤとを対応付けた曲ルールテーブル１０１と、アルバム情報（アルバムＩＤ）とＤＳＰプログラムパラメータと機種ＩＤとを対応付けたアルバムルールテーブル１０２と、アーティスト情報（アーティストＩＤ）とＤＳＰプログラムパラメータと機種ＩＤとを対応付けたアーティストルールテーブル１０３と、ジャンル情報（ジャンルＩＤ）とＤＳＰプログラムパラメータと機種ＩＤとを対応付けたジャンルルールテーブル１０４の４つが存在する。図４で例示したＤＳＰプログラムパラメータの詳細については後述する。
【００１６】
ユーザは、入力手段９を操作して、属性情報データベースの中から所望の曲を選択し、この曲の再生中に実行すべきエフェクト処理を制御対象のアンプ装置２１が実行可能なエフェクト処理の中から選択する。ルールテーブル作成手段６は、選択された曲の曲ＩＤと選択されたエフェクト処理のＤＳＰプログラムパラメータを、制御対象のアンプ装置２１の機種ＩＤと対応付けて曲ルールテーブル１０１に登録する。機種ＩＤを取得する方法については後述する。
また、ユーザは、入力手段９を操作して、属性情報データベースの中から所望のアルバムを選択し、このアルバムに属する曲の再生中に実行すべきエフェクト処理を制御対象のアンプ装置２１が実行可能なエフェクト処理の中から選択する。ルールテーブル作成手段６は、選択されたアルバムのアルバムＩＤと選択されたエフェクト処理のＤＳＰプログラムパラメータを、制御対象のアンプ装置２１の機種ＩＤと対応付けてアルバムルールテーブル１０２に登録する。
また、ユーザは、入力手段９を操作して、属性情報データベースの中から所望のアーティストを選択し、このアーティストに属する曲の再生中に実行すべきエフェクト処理を制御対象のアンプ装置２１が実行可能なエフェクト処理の中から選択する。ルールテーブル作成手段６は、選択されたアーティストのアーティストＩＤと選択されたエフェクト処理のＤＳＰプログラムパラメータを、制御対象のアンプ装置２１の機種ＩＤと対応付けてアーティストルールテーブル１０３に登録する。
さらに、ユーザは、入力手段９を操作して、属性情報データベースの中から所望のジャンルを選択し、このジャンルに属する曲の再生中に実行すべきエフェクト処理を制御対象のアンプ装置２１が実行可能なエフェクト処理の中から選択する。ルールテーブル作成手段６は、選択されたジャンルのジャンルＩＤと選択されたエフェクト処理のＤＳＰプログラムパラメータを、制御対象のアンプ装置２１の機種ＩＤと対応付けてジャンルルールテーブル１０４に登録する。
【００１７】
各ルールテーブルは、曲ルールテーブル１０１、アルバムルールテーブル１０２、アーティストルールテーブル１０３、ジャンルルールテーブル１０４の順に優先度が高く、ルールテーブルが必要な場合には優先度が高い順に参照される。
なお、属性情報データベースの全ての曲、アルバム、アーティストおよびジャンルについてＤＳＰプログラムパラメータを登録する必要はなく、対応するＤＳＰプログラムパラメータが登録されていない曲、アルバム、アーティスト、ジャンルが存在してもよい。
また、音楽ＣＤインフォメーションデータサーバが提供するジャンル名は無数にあるわけではなく、既知の名称なので、既知のジャンルとこのジャンルに好適なＤＳＰプログラムパラメータとを対応付けて、デフォルトのジャンルルールテーブル１０４を作成し、このデフォルトのジャンルルールテーブル１０４を例えば工場出荷時に記録手段３に予め記録しておいてもよい。デフォルトのジャンルルールテーブル１０４を登録しておくことで、ユーザの登録作業を軽減することができる。
【００１８】
次に、録音再生装置１の再生時の動作を説明する。図５は録音再生装置１の再生時の動作を示すフローチャートである。まず、ユーザは、録音再生装置１の入力手段９を操作して、再生対象の曲を選択し、選択した曲の再生を要求する（図５ステップＳ１１）。
再生対象の曲を選択するため、ユーザは、所望の曲を直接指定してプレイリストを作成するか、あるいは所望のアルバム、アーティスト又はジャンルを指定する。ユーザがアルバム、アーティスト又はジャンルを指定した場合、制御手段１２は、記録手段３に記録された曲の属性情報を再生手段７を通じて参照し、ユーザが指定したアルバム、アーティスト又はジャンルに対応する曲名を表示手段１０に表示させる。ユーザは、表示手段１０に表示された全曲又はその一部を入力手段９で選択する。
【００１９】
次に、録音再生装置１の制御手段１２は、制御対象のアンプ装置２１のインプットセレクタ２２が自装置（録音再生装置１）を選択しているかどうか確認する（ステップＳ１２）。インプットセレクタ２２が録音再生装置１を選択しているかどうかはアンプ装置２１から取得したステータスによって判断することができる。図６（ａ）は録音再生装置１から送出される制御コマンドのフォーマットを示す図、図６（ｂ）はステータス取得コマンドに応じてアンプ装置２１から送出されるメッセージのフォーマットを示す図である。
【００２０】
録音再生装置１から送出される制御コマンドは、図６（ａ）に示すように、制御コマンドの開始を示す例えば１バイトのＳＴＸデリミタ２０１と、制御コマンドの種類を示す値が格納されるコマンドフィールド２０２と、制御コマンドの引数が格納されるオプションフィールド２０３と、制御コマンドの終了を示す例えば１バイトのＥＴＸデリミタ２０４とから構成される。
制御コマンドは、コマンドフィールド２０２の値が例えば「１」の場合、アンプ装置２１のステータスを取得するステータス取得コマンドとなり、同フィールドの値が例えば「４」の場合、アンプ装置２１のＤＳＰ２３のエフェクト処理をオン又はオフにするエフェクトオン／オフコマンドとなり、同フィールドの値が例えば「５」の場合、ＤＳＰ２３に対してＤＳＰプログラムパラメータを設定するＤＳＰプログラムパラメータ設定コマンドとなる。
ＤＳＰ２３のエフェクト処理をオンにするエフェクトオン／オフコマンドの場合、オプションフィールド２０３には「１」が格納され、エフェクト処理をオフにする場合、オプションフィールド２０３には「０」が格納される。
【００２１】
また、ＤＳＰプログラムパラメータ設定コマンドの場合には、録音再生装置１からアンプ装置２１に対して設定するＤＳＰプログラムパラメータに対応するＤＳＰプログラムコードがオプションフィールド２０３に格納される。録音再生装置１の記録手段３には、アンプ装置２１の全機種に共通のＤＳＰプログラムコードと各機種のＤＳＰプログラムパラメータとを対応付けた図７のようなＤＳＰプログラムコードテーブル１０５が予め格納されている。
一方、アンプ装置２１の記憶手段２６には、ＤＳＰプログラムコードと自装置のＤＳＰプログラムパラメータとを対応付けた図８のようなＤＳＰプログラムコードテーブル１０６が予め格納されている。図８の例では、ＤＳＰプログラムコードテーブル１０６の１例として、機種ＩＤ「１」のアンプ装置２１のテーブル１０６を示している。
【００２２】
ＤＳＰプログラムコードとＤＳＰプログラムパラメータとの対応関係はアンプ装置２１の機種毎に定められており、例えば機種ＩＤが「１」のアンプ装置２１において、ＤＳＰプログラムコード「０」はＤＳＰプログラムパラメータ「ＨＡＬＬ　Ａ」に対応し、機種ＩＤ「２」のアンプ装置２１において、ＤＳＰプログラムコード「１」はＤＳＰプログラムパラメータ「ＣＨＵＲＣＨ」に対応している。
機種ＩＤ「１」のアンプ装置２１のＤＳＰ２３は、ＤＳＰプログラムパラメータ「ＨＡＬＬ　Ａ」，「ＨＡＬＬ　Ｂ」が設定された場合、それぞれ所定のコンサートホールの音場を再現する音場処理を行う。機種ＩＤ「２」のアンプ装置２１においてＤＳＰプログラムパラメータ「ＨＡＬＬ」が設定された場合も同様である。
機種ＩＤ「１」のアンプ装置２１のＤＳＰ２３は、ＤＳＰプログラムパラメータ「ＣＨＵＲＣＨ　Ａ」，「ＣＨＵＲＣＨ　Ｂ」が設定された場合、それぞれ所定の教会の音場を再現する音場処理を行う。機種ＩＤ「２」のアンプ装置２１においてＤＳＰプログラムパラメータ「ＣＨＵＲＣＨ」が設定された場合も同様である。
機種ＩＤ「１」，「２」のアンプ装置２１のＤＳＰ２３は、ＤＳＰプログラムパラメータ「ＪＡＺＺ」が設定された場合、ライブハウスの音場を再現する音場処理を行い、機種ＩＤ「１」のアンプ装置２１のＤＳＰ２３は、ＤＳＰプログラムパラメータ「ＲＯＣＫ」が設定された場合、ロックコンサートの音場を再現する音場処理を行う。
そして、機種ＩＤ「１」，「２」のアンプ装置２１のＤＳＰ２３は、ＤＳＰプログラムパラメータ「ＳＣＩ−ＦＩ」が設定された場合、特殊効果撮影を駆使した映画に適した音場を再現する音場処理を行い、ＤＳＰプログラムパラメータ「ＡＤＶＥＮＴＵＲＥ」が設定された場合、台詞と音楽と効果音とを描き分ける音場を再現する音場処理を行い、ＤＳＰプログラムパラメータ「ＧＥＮＥＲＡＬ」が設定された場合、心理的描写の映画に適した音場を再現する音場処理を行う。
【００２３】
アンプ装置２１から送出されるメッセージは、図６（ｂ）に示すように、メッセージの開始を示すＳＴＸデリミタ３０１と、機種ＩＤが格納される機種ＩＤフィールド３０２と、インプットセレクタ２２の現在の状態を示すインプットコードが格納されるインプットセレクタフィールド３０３と、ＤＳＰ２３がエフェクト処理を実行中か否かを示すエフェクトステータスが格納されるエフェクトオン／オフフィールド３０４と、ＤＳＰ２３の実行中のエフェクト処理を示すＤＳＰプログラムコードが格納されるＤＳＰプログラムフィールド３０５と、メッセージの終了を示すＥＴＸデリミタ３０６とから構成される。
【００２４】
録音再生装置１の記録手段３には、アンプ装置２１の全機種に共通のインプットコードと各機種の入力端子とを対応付けた図９のようなインプットコードテーブル１０７が予め格納されている。一方、アンプ装置２１の記憶手段２６には、インプットコードと自装置の入力端子とを対応付けた図１０のようなインプットコードテーブル１０８が予め格納されている。図１０の例では、インプットコードテーブル１０８の１例として、機種ＩＤ「１」のアンプ装置２１のテーブル１０８を示している。
インプットコードとアンプ装置２１の入力端子との対応関係は機種毎に定められており、例えば機種ＩＤ「１」，「２」のアンプ装置２１において、インプットコード「０」はインプットセレクタ２２が「ＣＤ」入力端子を選択していることを示し、機種ＩＤ「１」のアンプ装置２１において、インプットコード「６」はインプットセレクタ２２が「Ｖ−ＡＵＸ」入力端子を選択していることを示している。
【００２５】
エフェクトオン／オフフィールド３０４には、ＤＳＰ２３がエフェクト処理を実行している場合、エフェクトステータス「１」が格納され、エフェクト処理を実行していない場合、エフェクトステータス「０」が格納される。
【００２６】
ＤＳＰプログラムフィールド３０５に格納されるＤＳＰプログラムコードについては表１で説明したとおりである。例えば機種ＩＤ「１」のアンプ装置２１において、ＤＳＰ２３がＤＳＰプログラムパラメータ「ＨＡＬＬ　Ａ」の音場処理を実行中の場合、ＤＳＰプログラムフィールド３０５に格納されるＤＳＰプログラムコードは「０」となる。
【００２７】
録音再生装置１の制御手段１２は、アンプ装置２１の状態を確認するため、通信インタフェース手段１３を介してアンプ装置２１にステータス取得コマンドを定期的に送信する。
アンプ装置２１の制御手段２７は、通信インタフェース手段２５を介してステータス取得コマンドを受信すると、自装置の機種ＩＤと、インプットセレクタ２２の現在の状態を示すインプットコードと、ＤＳＰ２３の現在の動作に応じたエフェクトステータスと、実行中のエフェクト処理を示すＤＳＰプログラムコードとを格納したメッセージを、通信インタフェース手段２５を介して録音再生装置１に返送する。
なお、制御手段２７は、インプットセレクタ２２が選択した入力端子に対応するインプットコードを記憶手段２６のインプットコードテーブル１０８に基づいて決定し、ＤＳＰ２３に設定されたＤＳＰプログラムパラメータに対応するＤＳＰプログラムコードを記憶手段２６のＤＳＰプログラムコードテーブル１０６に基づいて決定する。
【００２８】
録音再生装置１の制御手段１２は、通信インタフェース手段１３を介して受信したメッセージの機種ＩＤフィールド３０２から機種ＩＤを取得する。こうして、録音再生装置１に現在接続されている制御対象のアンプ装置２１の機種ＩＤを取得することができる。
そして、制御手段１２は、受信したメッセージのインプットセレクタフィールド３０３からインプットコードを取得し、アンプ装置２１のインプットセレクタ２２が自装置（録音再生装置１）を選択しているかどうか確認する（図５ステップＳ１２）。
図９、図１０の例では録音再生装置に対応するインプットコードが存在しないが、例えば録音再生装置１の音声出力をアンプ装置２１の「Ｖ−ＡＵＸ」入力端子に接続するとすれば、ユーザは、録音再生装置１用の入力端子として「Ｖ−ＡＵＸ」を制御手段１２に登録しておけばよい。
これにより、制御手段１２は、受信したメッセージから機種ＩＤとインプットコードを取得したとき、この機種ＩＤとインプットコードに対応する入力端子がインプットコードテーブル１０７上で「Ｖ−ＡＵＸ」であれば、アンプ装置２１のインプットセレクタ２２が自装置を選択していると判断し、対応する入力端子が「Ｖ−ＡＵＸ」でない場合には、インプットセレクタ２２が自装置を選択していないと判断することができる。
【００２９】
制御手段１２は、ステップＳ１２においてインプットセレクタ２２が自装置を選択している場合、再生対象の曲（以下、曲ＩＤ「ｍ」の曲とする）の属性情報に対応するＤＳＰプログラムパラメータを取得するようＤＳＰプログラムパラメータ取得手段８に指示する（ステップＳ１３）。図１１はＤＳＰプログラムパラメータ取得処理の詳細を示すフローチャートである。
【００３０】
ＤＳＰプログラムパラメータ取得処理において、ＤＳＰプログラムパラメータ取得手段８は、記録手段３のルールテーブルを参照するが、前述のとおり、曲ルールテーブル１０１、アルバムルールテーブル１０２、アーティストルールテーブル１０３、ジャンルルールテーブル１０４の各ルールテーブルを優先度が高い順に参照する。
最初に、ＤＳＰプログラムパラメータ取得手段８は、優先度が最も高い曲ルールテーブル１０１を参照して、曲ＩＤ「ｍ」の曲に対応するＤＳＰプログラムパラメータが登録されているかどうか確認し（図１１ステップＳ１０１）、曲ＩＤ「ｍ」の曲に対応するＤＳＰプログラムパラメータが登録されている場合、このＤＳＰプログラムパラメータを取得する（ステップＳ１０２）。
続いて、ＤＳＰプログラムパラメータ取得手段８は、取得したＤＳＰプログラムパラメータに対応する機種ＩＤを曲ルールテーブル１０１から取得し、この機種ＩＤと録音再生装置１に現在接続されているアンプ装置２１のメッセージから取得した機種ＩＤとを比較する（ステップＳ１０３）。
ＤＳＰプログラムパラメータ取得手段８は、機種ＩＤが一致する場合、すなわち曲ルールテーブル１０１にＤＳＰプログラムパラメータを登録したときのアンプ装置２１と現在接続されているアンプ装置２１とが一致する場合（ステップＳ１０３においてＹＥＳ）、ＤＳＰプログラムパラメータの取得が完了したと判断して、ＤＳＰプログラムパラメータ取得処理を終了する。
【００３１】
一方、機種ＩＤが一致しない場合、ＤＳＰプログラムパラメータ取得手段８は、予め記録手段３に登録された図１２のようなＤＳＰプログラム対応テーブル１０９を参照する。ＤＳＰプログラム対応テーブル１０９は、同一種類のＤＳＰプログラムパラメータを包括するＤＳＰプログラムパラメータ大分類と、アンプ装置２１の各機種のＤＳＰプログラムパラメータとを対応付けたものである。
【００３２】
ＤＳＰプログラムパラメータ取得手段８は、ＤＳＰプログラム対応テーブル１０９を参照して、曲ルールテーブル１０１から取得した機種ＩＤ及びＤＳＰプログラムパラメータに１対１で対応するＤＳＰプログラムパラメータが、現在接続されているアンプ装置２１のために用意されているかどうか判定し（ステップＳ１０４）、対応するＤＳＰプログラムパラメータが存在する場合、このＤＳＰプログラムパラメータをステップＳ１０２のＤＳＰプログラムパラメータの代わりとして取得し、ＤＳＰプログラムパラメータ取得処理を終了する（ステップＳ１０５）。
例えば、曲ルールテーブル１０１から取得した機種ＩＤが「２」でＤＳＰプログラムパラメータが「ＨＡＬＬ」の場合、現在接続されているアンプ装置２１の機種ＩＤが「１」であれば、機種ＩＤ不一致となる。このとき、ＤＳＰプログラムパラメータ取得手段８は、機種ＩＤ「２」のＤＳＰプログラムパラメータ「ＨＡＬＬ」に１対１で対応するＤＳＰプログラムパラメータとして、機種ＩＤ「１」のＤＳＰプログラムパラメータ「ＨＡＬＬ　Ａ」を取得する。
【００３３】
ＤＳＰプログラムパラメータ取得手段８は、曲ルールテーブル１０１から取得した機種ＩＤ及びＤＳＰプログラムパラメータに１対１で対応するＤＳＰプログラムパラメータが存在しない場合、現在接続されているアンプ装置２１用にＤＳＰプログラム対応テーブル１０９に登録されているＤＳＰプログラムパラメータのうち、曲ルールテーブル１０１から取得したＤＳＰプログラムパラメータと同一種類の大分類に属するＤＳＰプログラムパラメータをステップＳ１０２のＤＳＰプログラムパラメータの代わりとして取得し、ＤＳＰプログラムパラメータ取得処理を終了する（ステップＳ１０６）。
例えば、曲ルールテーブル１０１から取得した機種ＩＤが「２」でＤＳＰプログラムパラメータが「ＣＨＵＲＣＨ」の場合、この「ＣＨＵＲＣＨ」に１対１で対応するＤＳＰプログラムパラメータは、機種ＩＤ「１」のアンプ装置２１には存在しない。そこで、ＤＳＰプログラムパラメータ取得手段８は、機種ＩＤ「１」のアンプ装置２１のために用意されているＤＳＰプログラムパラメータのうち、ＤＳＰプログラムパラメータ「ＣＨＵＲＣＨ」と同一種類の大分類「ＣＨＵＲＣＨ系」に属するＤＳＰプログラムパラメータ「ＣＨＵＲＣＨ　Ａ」を代用可能なＤＳＰプログラムパラメータとして取得する。
なお、同一種類の大分類に属するＤＳＰプログラムパラメータが「ＣＨＵＲＣＨ　Ａ」，「ＣＨＵＲＣＨ　Ｂ」のように複数存在する場合には、これら複数のＤＳＰプログラムパラメータのうち、代表的なＤＳＰプログラムパラメータ（通常、大分類の先頭のＤＳＰプログラムパラメータ）を取得する。
【００３４】
ステップＳ１０１において、曲ルールテーブル１０１に曲ＩＤ「ｍ」の曲に対応するＤＳＰプログラムパラメータが登録されていない場合、ＤＳＰプログラムパラメータ取得手段８は、記録手段３の属性情報データベースを参照して、曲ＩＤ「ｍ」の曲に対応するアルバム情報（以下、アルバムＩＤ「ａ」のアルバム情報とする）を取得する（ステップＳ１０７）。
続いて、ＤＳＰプログラムパラメータ取得手段８は、優先度が２番目に高いアルバムルールテーブル１０２を参照し、アルバムＩＤ「ａ」のアルバム情報に対応するＤＳＰプログラムパラメータが登録されているかどうか確認し（ステップＳ１０８）、アルバム情報に対応するＤＳＰプログラムパラメータが登録されている場合、このＤＳＰプログラムパラメータを取得する（ステップＳ１０２）。続いて、説明済みのステップＳ１０３の処理を行う。
【００３５】
ステップＳ１０８において、アルバムルールテーブル１０２にアルバムＩＤ「ａ」のアルバム情報に対応するＤＳＰプログラムパラメータが登録されていない場合、ＤＳＰプログラムパラメータ取得手段８は、記録手段３の属性情報データベースを参照して、アルバムＩＤ「ａ」のアルバム情報に対応するアーティスト情報（以下、アーティストＩＤ「ｒ」のアーティスト情報とする）を取得する（ステップＳ１０９）。
続いて、ＤＳＰプログラムパラメータ取得手段８は、優先度が３番目に高いアーティストルールテーブル１０３を参照して、アーティストＩＤ「ｒ」のアーティスト情報に対応するＤＳＰプログラムパラメータが登録されているかどうか確認し（ステップＳ１１０）、アーティスト情報に対応するＤＳＰプログラムパラメータが登録されている場合、このＤＳＰプログラムパラメータを取得し（ステップＳ１０２）、説明済みのステップＳ１０３へ進む。
【００３６】
ステップＳ１１０において、アーティストルールテーブル１０３にアーティストＩＤ「ｒ」のアーティスト情報に対応するＤＳＰプログラムパラメータが登録されていない場合、ＤＳＰプログラムパラメータ取得手段８は、記録手段３の属性情報データベースを参照して、アルバムＩＤ「ａ」のアルバム情報に対応するジャンル情報（以下、ジャンルＩＤ「ｊ」のジャンル情報とする）を取得する（ステップＳ１１１）。
【００３７】
続いて、ＤＳＰプログラムパラメータ取得手段８は、優先度が最も低いジャンルルールテーブル１０４を参照して、ジャンルＩＤ「ｊ」のジャンル情報に対応するＤＳＰプログラムパラメータが登録されているかどうか確認し（ステップＳ１１２）、ジャンル情報に対応するＤＳＰプログラムパラメータが登録されている場合、このＤＳＰプログラムパラメータを取得し（ステップＳ１０２）、説明済みのステップＳ１０３へ進む。
【００３８】
ステップＳ１１２において、ジャンルルールテーブル１０４にジャンルＩＤ「ｊ」のジャンル情報に対応するＤＳＰプログラムパラメータが登録されていない場合、ＤＳＰプログラムパラメータ取得手段８は、再生対象曲の属性情報に対応するＤＳＰプログラムパラメータが存在しないと判断して、ＤＳＰプログラムパラメータ取得処理を終了する。
【００３９】
ＤＳＰプログラムパラメータ取得処理の終了後、制御手段１２は、アンプ装置２１に対してＤＳＰプログラムパラメータを設定する（図５ステップＳ１４）。図１３はＤＳＰプログラムパラメータ設定処理の詳細を示すフローチャートである。
まず、制御手段１２は、ＤＳＰプログラムパラメータ取得手段８によってＤＳＰプログラムパラメータを取得できたかどうか判定する（図１３ステップＳ２０１）。図１１のステップＳ１０２、あるいはステップＳ１０２の代わりとしてステップＳ１０５，Ｓ１０６のいずれかでＤＳＰプログラムパラメータを取得すれば、判定ＹＥＳとなる。
【００４０】
ＤＳＰプログラムパラメータを取得できた場合、制御手段１２は、ＤＳＰプログラムパラメータ取得手段８から受け取ったＤＳＰプログラムパラメータが「ＯＦＦ」かどうか判定する（ステップＳ２０２）。ＤＳＰプログラムパラメータが「ＯＦＦ」の場合、制御手段１２は、アンプ装置２１のエフェクト処理をオフにするため、オプションフィールド２０３に「０」を格納したエフェクトオン／オフコマンドを通信インタフェース手段１３を介してアンプ装置２１に送信する（ステップＳ２０３）。
通信インタフェース手段２５を介してエフェクトオン／オフコマンドを受信したアンプ装置２１の制御手段２７は、エフェクトオン／オフコマンドのオプションフィールド２０３が「０」の場合、ＤＳＰ２３にＤＳＰプログラムパラメータ「ＯＦＦ」を設定する（ステップＳ２０４）。
【００４１】
一方、取得したＤＳＰプログラムパラメータが「ＯＦＦ」でない場合、制御手段１２は、アンプ装置２１のエフェクト処理をオンにするため、オプションフィールド２０３に「１」を格納したエフェクトオン／オフコマンドをアンプ装置２１に送信する（ステップＳ２０５）。
続いて、制御手段１２は、録音再生装置１に現在接続されているアンプ装置２１の機種ＩＤと取得したＤＳＰプログラムパラメータとに対応するＤＳＰプログラムコードを記録手段３のＤＳＰプログラムコードテーブル１０５から取得し、取得したＤＳＰプログラムコードをＤＳＰプログラムパラメータ設定コマンドのオプションフィールド２０３に格納して、このＤＳＰプログラムパラメータ設定コマンドをアンプ装置２１に送信する（ステップＳ２０６）。
【００４２】
通信インタフェース手段２５を介してＤＳＰプログラムパラメータ設定コマンドを受信したアンプ装置２１の制御手段２７は、ＤＳＰプログラムパラメータ設定コマンドのオプションフィールド２０３からＤＳＰプログラムコードを取得して、このＤＳＰプログラムコードに対応するＤＳＰプログラムパラメータを記憶手段２６のＤＳＰプログラムコードテーブル１０６から取得し、取得したＤＳＰプログラムパラメータをＤＳＰ２３に設定する（ステップＳ２０７）。以上で、ＤＳＰプログラムパラメータ設定処理が終了する。
なお、ＤＳＰプログラムパラメータを取得できなかった場合には（ステップＳ２０１においてＮＯ）、ＤＳＰプログラムパラメータを設定せずに処理を終えることは言うまでもない。
【００４３】
次に、制御手段１２は、曲ＩＤ「ｍ」の曲を再生するよう再生手段７に指令し、再生手段７は、制御手段１２の指令に従って曲ＩＤ「ｍ」に対応する音声データを記録手段３から読み出してアンプ装置２１に出力する（図５ステップＳ１５）。
【００４４】
録音再生装置１から出力された音声データは、インプットセレクタ２２を通ってＤＳＰ２３に入力される。ＤＳＰ２３は、設定されたＤＳＰプログラムパラメータに従って、入力音声データにエフェクト処理を施し、エフェクト処理した音声データをアナログ音声信号に変換して出力する。ＤＳＰ２３から出力されたアナログ音声信号は、パワーアンプ２４で増幅されてスピーカ３１に出力される。
なお、現在接続されているアンプ装置２１のインプットセレクタ２２が録音再生装置１を選択していない場合（ステップＳ１２においてＮＯ）、制御手段１２は、ステップＳ１３のＤＳＰプログラムパラメータ取得処理とステップＳ１４のＤＳＰプログラムパラメータ設定処理を実行しない。ただし、ステップＳ１５の再生処理は、ユーザが再生中止を別途指示しない限り継続される。
【００４５】
次に、ユーザは、曲の再生中にアンプ装置２１のインプットセレクタ２２が録音再生装置１を選択していない状態で、インプットセレクタ２２を操作して録音再生装置１を選択することが可能である。前述のとおり、録音再生装置１の制御手段１２は、ステータス取得コマンドをアンプ装置２１に定期的に送信しており、これに応じてアンプ装置２１から返送されるメッセージを受信している。曲の再生中にユーザがインプットセレクタ２２を操作すると、アンプ装置２１から定期的に送出されるメッセージ中のインプットコードが変化する。
制御手段１２は、アンプ装置２１から受信したメッセージ中のインプットコードが曲の再生中に変化した場合、このメッセージから取得した機種ＩＤ及びインプットコードに対応する入力端子の種類をインプットコードテーブル１０７から取得する。
そして、この入力端子が録音再生装置１に対応している場合、制御手段１２は、インプットセレクタ２２が他の音源から録音再生装置１へ選択を切り替えたと判断し（ステップＳ１６においてＹＥＳ）、ステップＳ１３と同じＤＳＰプログラムパラメータ取得処理（ステップＳ１７）とステップＳ１４と同じＤＳＰプログラムパラメータ設定処理（ステップＳ１８）を実行する。
【００４６】
また、ユーザは、曲の再生中にアンプ装置２１のエフェクト処理を手動で変更することが可能である。曲の再生中にユーザがアンプ装置２１のエフェクト処理を変更すると、アンプ装置２１から定期的に送出されるメッセージ中のＤＳＰプログラムコードが変化する。
制御手段１２は、アンプ装置２１から受信したメッセージ中のＤＳＰプログラムコードが曲の再生中に変化した場合、アンプ装置２１のエフェクト処理に変更があったと判断し（ステップＳ１９においてＹＥＳ）、受信したメッセージから取得した機種ＩＤ及びＤＳＰプログラムコードに対応するＤＳＰプログラムパラメータをＤＳＰプログラムコードテーブル１０５から取得する。
そして、制御手段１２は、再生中の曲の曲ＩＤ「ｍ」と、アンプ装置２１のメッセージに基づいて取得したＤＳＰプログラムパラメータと、同メッセージから取得した機種ＩＤとをルールテーブル作成手段６に渡す。ルールテーブル作成手段６は、制御手段１２から受け取った曲ＩＤとＤＳＰプログラムパラメータと機種ＩＤとを対応付けて曲ルールテーブル１０１に登録する（ステップＳ２０）。曲ＩＤ「ｍ」に対応するＤＳＰプログラムパラメータと機種ＩＤが既に登録されている場合には、これらが更新されることになる。こうして、ユーザの操作に応じて曲ルールテーブル１０１の自動学習を行うことができる。
【００４７】
曲ＩＤ「ｍ」の曲の再生が終了するまで（ステップＳ２１においてＹＥＳ）、ステップＳ１６〜Ｓ２１の処理が繰り返される。再生終了後、制御手段１２は、再生対象の曲を全て再生したかどうか判定し（ステップＳ２２）、全曲を再生していない場合には、ステップＳ１２に戻って、次の曲を再生する。こうして、ステップＳ１２〜Ｓ２２の処理が曲毎に行われる。
以上のように、本実施の形態では、曲の属性情報に応じてアンプ装置２１のＤＳＰ２３のエフェクト処理を制御することができ、ユーザはＤＳＰ２３を曲毎に設定変更する必要がなくなる。
【００４８】
［第２の実施の形態］
図１４は本発明の第２の実施の形態となる曲ルールテーブル１０１ａの構成を示す図である。第１の実施の形態では、１つの曲（曲ＩＤ）に対して１つのＤＳＰプログラムパラメータを登録していたが、１つの曲ＩＤに対して複数のＤＳＰプログラムパラメータを登録するようにしてもよい。
本実施の形態の曲ルールテーブル１０１ａは、曲ＩＤとＤＳＰ２３の音場処理又は周波数特性処理の開始時間を指定する処理開始時間とＤＳＰプログラムパラメータと機種ＩＤとを対応付けたものである。本実施の形態においても、録音再生システムの構成は第１の実施の形態と同様であるので、図１の符号を用いて説明する。
【００４９】
録音再生装置１の記録時の動作は第１の実施の形態とほぼ同様であるが、異なるのはルールテーブル作成手段６が記録手段３に曲ルールテーブル１０１ａを作成する際の動作である。
ユーザは、録音再生装置１の入力手段９を操作して、属性情報データベースの中から所望の曲を選択し、この曲の再生中に実行すべきエフェクト処理を制御対象のアンプ装置２１が実行可能なエフェクト処理の中から選択し、選択したエフェクト処理を実行すべき処理開始時間（曲の先頭からの時間）を指定する。
ルールテーブル作成手段６は、選択された曲の曲ＩＤと指定された処理開始時間と選択されたエフェクト処理のＤＳＰプログラムパラメータを、制御対象のアンプ装置２１の機種ＩＤと対応付けて曲ルールテーブル１０１に登録する（図２ステップＳ４）。
なお、ルールテーブル作成手段６が最初に作成する曲ルールテーブル１０１ａでは、ＤＳＰプログラムパラメータが登録されていない曲があってもよいし、処理開始時間が０分００秒（「０：００」）のＤＳＰプログラムパラメータのみが登録されていてもよい。
【００５０】
図１５は本実施の形態の録音再生装置１の再生時の動作を示すフローチャートであり、図５と同一の処理には同一の符号を付してある。ステップＳ１１，Ｓ１２の処理は第１の実施の形態と同じである。ステップＳ１３ａのＤＳＰプログラムパラメータ取得処理は第１の実施の形態のステップＳ１３とほぼ同様であるが、異なるのは、記録手段３の曲ルールテーブル１０１ａに再生対象の曲に対応するＤＳＰプログラムパラメータが登録されている場合（図１１ステップＳ１０１においてＹＥＳ）、ステップＳ１０２で処理開始時間が「０：００」のＤＳＰプログラムパラメータを曲ルールテーブル１０１ａから取得することである。
ステップＳ１４〜Ｓ１６，Ｓ１８は第１の実施の形態と同じであり、ステップＳ１７ａはステップＳ１３ａと同じである。次に、録音再生装置１のＤＳＰプログラムパラメータ取得手段８は、曲ルールテーブル１０１ａに、再生中の曲（曲ＩＤ）に対応し、かつ０分００秒より長い処理開始時間に対応するＤＳＰプログラムパラメータが登録されている場合、曲の再生経過時間が曲ルールテーブル１０１ａの処理開始時間と一致したとき（ステップＳ２３においてＹＥＳ）、この一致した時間に対応するＤＳＰプログラムパラメータを曲ルールテーブル１０１ａから取得して、制御手段１２に渡す。制御手段１２は、ＤＳＰプログラムパラメータ設定処理を実行する（ステップＳ２４）。ステップＳ２４の処理はステップＳ１４と同じである。
例えば、図１４の例では、曲ＩＤ「１」の曲を再生すると、まず処理開始時間０分００秒に対応するＤＳＰプログラムパラメータ「ＳＣＩ−ＦＩ」がアンプ装置２１に設定される。次いで、再生経過時間が２分３０秒に達すると、ＤＳＰプログラムパラメータが「ＯＦＦ」に設定され、さらに再生経過時間が４分１０秒に達すると、ＤＳＰプログラムパラメータ「ＧＥＮＥＲＡＬ」が設定される。こうして、再生経過時間に応じてエフェクト処理を変更しながら曲を再生することができる。
【００５１】
次に、録音再生装置１の制御手段１２は、曲の再生中にアンプ装置２１のエフェクト処理に変更があった場合（ステップＳ１９においてＹＥＳ）、この曲の再生開始時刻から現時刻までの再生経過時間を処理開始時間と決定し、再生中の曲の曲ＩＤと、決定した処理開始時間と、アンプ装置２１のメッセージに基づいて取得したＤＳＰプログラムパラメータと、同メッセージから取得した機種ＩＤとをルールテーブル作成手段６に渡す。
ルールテーブル作成手段６は、制御手段１２から受け取った曲ＩＤと処理開始時間とＤＳＰプログラムパラメータと機種ＩＤとを対応付けて曲ルールテーブル１０１ａに登録する（ステップＳ２０ａ）。ステップＳ２１，Ｓ２２の処理は第１の実施の形態と同じである。
【００５２】
こうして、ユーザがエフェクト処理を変更したときの再生経過時間と変更されたＤＳＰプログラムパラメータとを曲ルールテーブル１０１ａに登録する自動学習を行うことができる。
【００５３】
［第３の実施の形態］
図１６は本発明の第３の実施の形態となる録音再生システムの構成を示すブロック図であり、図１と同一の構成には同一の符号を付してある。本実施の形態の録音再生装置１ａは、ＣＤドライブ装置２と、記録手段３と、音声データを圧縮して記録手段３に記録する音声データ記録手段４ａと、曲の属性情報として圧縮方式情報を記録手段３に記録する属性情報記録手段５ａと、記録手段３から読み出した圧縮音声データを伸張して出力する再生手段７ａと、再生対象となる曲の圧縮方式情報を含む属性情報を取得し、この属性情報に対応するＤＳＰプログラムパラメータをルールテーブルから取得するＤＳＰプログラムパラメータ取得手段８ａと、入力手段９と、表示手段１０と、ネットワークインタフェース手段１１と、制御手段１２ａと、通信インタフェース手段１３とを有している。
【００５４】
録音再生装置１ａの記録時の動作は録音再生装置１とほぼ同様であるので、図２を用いて記録時の動作を説明する。ユーザは、ＣＤドライブ装置２にＣＤを挿入し、入力手段９を操作してＣＤを所望の圧縮方式で圧縮して記録手段３に録音するよう要求する。制御手段１２は、ユーザの要求に応じて音声データ記録手段４ａを制御する。音声データ記録手段４ａは、エンコーダ４１を内部に有しており、ＣＤから読み出した非圧縮の音声データをエンコーダ４１に渡す。エンコーダ４１は、非圧縮の音声データをユーザが指定した圧縮方式で圧縮する。そして、音声データ記録手段４ａは、エンコーダ４１で圧縮した音声データを記録手段３に記録する（図２ステップＳ１）。
【００５５】
次に、属性情報記録手段５ａは、曲の属性情報を、ステップＳ１で記録した曲単位の音声データと対応付けて記録手段３の属性情報データベースに登録する（ステップＳ３）。このときの属性情報としては、ユーザが指定した圧縮方式を示す圧縮方式情報（フォーマット、ビットレート）とジャンル情報とがある。第１の実施の形態で説明したとおり、ジャンル情報はインターネット上の音楽ＣＤインフォメーションデータサーバから取得することができる。
【００５６】
図１７は、属性情報データベースに登録された圧縮方式情報およびジャンル情報の対応関係の１例を示す図である。属性情報データベースは、以下のルールに従って構築される。
（Ｅ）曲に対応する圧縮方式情報は、ただ１つである（曲は、特定のフォーマットとビットレートで圧縮される）。
（Ｆ）曲に対応するジャンル情報は、ただ１つである（曲は、１つのジャンルに属する）。
図１７によると、例えば、曲ＩＤ「ｍ１」の曲は、フォーマットが「ＭＰ３」、ビットレートが「１２８ｋｂｐｓ」の圧縮方式で圧縮され、ジャンルＩＤ「ｊ１」のジャンルに属することが分かる。こうして、各属性情報間の対応関係が属性情報データベースに登録される。
【００５７】
次に、ルールテーブル作成手段６ａは、曲の属性情報と、実行すべきエフェクト処理を制御対象のアンプ装置２１に搭載されたＤＳＰ２３に対して指定するＤＳＰプログラムパラメータと、制御対象のアンプ装置２１の機種ＩＤとを対応付けたルールテーブルを記録手段３上に作成する（ステップＳ４）。
図１８はルールテーブルの１例を示す図である。本実施の形態のルールテーブル１１０は、曲ＩＤと、圧縮方式情報であるフォーマット及びビットレートと、ジャンル情報（ジャンルＩＤ）と、ＤＳＰプログラムパラメータと、機種ＩＤとを対応付けたものである。図１８の例において「ＥＱＵＡＬＩＺＥ　Ａ」，「ＥＱＵＡＬＩＺＥ　Ｂ」は、中高域周波数成分を補正する周波数特性処理をアンプ装置２１のＤＳＰ２３に実行させるＤＳＰプログラムパラメータである。
【００５８】
ユーザは、入力手段９を操作して、属性情報データベースの中から所望の曲を選択し、この曲の再生中に実行すべきエフェクト処理を制御対象のアンプ装置２１が実行可能なエフェクト処理の中から選択する。ルールテーブル作成手段６ａは、選択された曲（曲ＩＤ）に対応する圧縮方式情報及びジャンル情報を属性情報データベースから取得し、曲ＩＤと、取得した圧縮方式情報及びジャンル情報と、選択されたエフェクト処理のＤＳＰプログラムパラメータとを、制御対象のアンプ装置２１の機種ＩＤと対応付けてルールテーブル１１０に登録する。
なお、音声データ記録手段４ａのエンコーダ４１が実行し得る圧縮方式は既知であり、前述のとおり、音楽ＣＤインフォメーションデータサーバが提供するジャンル名も既知の名称である。したがって、圧縮方式情報とジャンル情報の発生し得る組み合わせは、既知であり、既知の組み合わせとこの組み合わせに好適なＤＳＰプログラムパラメータとを対応付けて、デフォルトのルールテーブルを作成し、このデフォルトのルールテーブルを例えば工場出荷時に記録手段３に予め記録しておいてもよい。
この場合、ルールテーブル作成手段６ａは、属性情報データベースから取得した圧縮方式情報及びジャンル情報に対応するＤＳＰプログラムパラメータをデフォルトのルールテーブルから取得して、このＤＳＰプログラムパラメータと曲ＩＤと機種ＩＤとを対応受付けてルールテーブル１１０を作成する。デフォルトのルールテーブルを登録しておくことで、ユーザの登録作業を軽減することができる。
【００５９】
次に、録音再生装置１ａの再生時の動作は録音再生装置１とほぼ同様であるので、図５を用いて再生時の動作を説明する。ステップＳ１１，Ｓ１２の処理は第１の実施の形態と同様である。制御手段１２ａは、ステップＳ１２においてアンプ装置２１のインプットセレクタ２２が自装置（録音再生装置１ａ）を選択している場合、再生対象の曲の属性情報に対応するＤＳＰプログラムパラメータを取得するようＤＳＰプログラムパラメータ取得手段８ａに指示する（ステップＳ１３）。図１９はＤＳＰプログラムパラメータ取得処理の詳細を示すフローチャートであり、図１１と同一の処理には同一の符号を付してある。
【００６０】
ＤＳＰプログラムパラメータ取得処理において、ＤＳＰプログラムパラメータ取得手段８ａは、再生対象の曲（曲ＩＤ）に対応する圧縮方式情報とジャンル情報（ジャンルＩＤ）を属性情報データベースから取得する。そして、ＤＳＰプログラムパラメータ取得手段８ａは、記録手段３のルールテーブル１１０を参照し、再生対象曲の曲ＩＤと取得した圧縮方式情報及びジャンル情報に対応するＤＳＰプログラムパラメータが登録されているかどうか確認する（図１９ステップＳ１０１ａ）。
ＤＳＰプログラムパラメータ取得手段８ａは、ルールテーブル１１０に対応するＤＳＰプログラムパラメータが登録されている場合、このＤＳＰプログラムパラメータを取得する（ステップＳ１０２ａ）。ステップＳ１０３〜Ｓ１０６の処理は第１の実施の形態と同様である。
【００６１】
ステップＳ１４の処理は第１の実施の形態と同様である。次に、制御手段１２ａは、再生対象の曲を再生するよう再生手段７ａに指令し、再生手段７ａは、制御手段１２ａの指令に従って再生対象曲の圧縮音声データを記録手段３から読み出す。再生手段７ａは、デコーダ７１を内部に有しており、記録手段３から読み出した圧縮音声データをデコーダ７１に渡す。デコーダ７１は、圧縮音声データを伸張する。そして、再生手段７ａは、デコーダ７１で伸張した非圧縮音声データをアンプ装置２１に出力する（図５ステップＳ１５）。
ステップＳ１６，Ｓ１８は第１の実施の形態と同じであり、ステップＳ１７は本実施の形態で説明したステップＳ１３と同じである。次に、録音再生装置１ａの制御手段１２ａは、曲の再生中にアンプ装置２１のエフェクト処理に変更があった場合（ステップＳ１９においてＹＥＳ）、再生中の曲（曲ＩＤ）に対応する圧縮方式情報及びジャンル情報を属性情報データベースから取得する。
そして、制御手段１２ａは、再生中の曲の曲ＩＤと、取得した圧縮方式情報及びジャンル情報と、アンプ装置２１のメッセージに基づいて取得したＤＳＰプログラムパラメータと、同メッセージから取得した機種ＩＤとをルールテーブル作成手段６ａに渡す。ルールテーブル作成手段６ａは、制御手段１２ａから受け取った曲ＩＤと圧縮方式情報とジャンル情報とＤＳＰプログラムパラメータと機種ＩＤとを対応付けてルールテーブル１１０に登録する（ステップＳ２０）。対応するＤＳＰプログラムパラメータと機種ＩＤが既に登録されている場合には、これらが更新されることになる。こうして、ユーザの操作に応じてルールテーブル１１０の自動学習を行うことができる。ステップＳ２１，Ｓ２２の処理は第１の実施の形態と同じである。
【００６２】
次に、圧縮音声データに好適なエフェクト処理について説明する。圧縮による音声データの欠落は、圧縮方式にある程度依存し、実際には、対象となる音楽信号成分と圧縮処理のアルゴリズムに依存する。つまり、オリジナルの音楽信号に高域成分がどれだけ含まれているかで変動するが、傾向としては、ビットレートが低い（圧縮率が高い）程、圧縮された音声データに含まれる高域成分は低下する。
【００６３】
したがって、基本的には、中高域周波数成分を補正する周波数特性処理を圧縮方式のデータ劣化の程度に応じて適宜選択し、選択した周波数特性処理に対応するＤＳＰプログラムパラメータをルールテーブル１１０に設定しておけばよいことになる。これにより、圧縮音声データの再生に適したエフェクト処理を自動的に施すことができる。実際には、圧縮方式とジャンルの組み合わせに応じて、周波数特性処理だけを行ってもよいし、音場処理と周波数特性処理を組み合わせて行ってもよい。
【００６４】
［第４の実施の形態］
第３の実施の形態では、１つの曲（曲ＩＤ）に対して１つのＤＳＰプログラムパラメータを登録していたが、第２の実施の形態のように１つの曲ＩＤに対して複数のＤＳＰプログラムパラメータを登録するようにしてもよい。
【００６５】
この場合は、第２の実施の形態と同様に、ルールテーブル１１０に処理開始時間を加えればよい。再生時の動作は図１５を用いて説明した第２の実施の形態とほぼ同様であり、録音再生装置１ａのＤＳＰプログラムパラメータ取得手段８ａは、曲の再生経過時間がルールテーブル１１０の処理開始時間と一致したとき（図１５ステップＳ２３においてＹＥＳ）、この一致した時間に対応するＤＳＰプログラムパラメータを曲ルールテーブル１１０から取得して、制御手段１２ａに渡す。そして、制御手段１２ａは、ＤＳＰプログラムパラメータ設定処理を実行する（ステップＳ２４）。こうして、再生経過時間に応じてエフェクト処理を自動的に変更しながら曲を再生することができる。
【００６６】
また、録音再生装置１ａの制御手段１２ａは、曲の再生中にアンプ装置２１のエフェクト処理に変更があった場合（図１５ステップＳ１９においてＹＥＳ）、再生中の曲（曲ＩＤ）に対応する圧縮方式情報及びジャンル情報を属性情報データベースから取得する。
そして、制御手段１２ａは、曲の再生開始時刻から現時刻までの再生経過時間を処理開始時間と決定し、再生中の曲の曲ＩＤと、決定した処理開始時間と、取得した圧縮方式情報及びジャンル情報と、アンプ装置２１のメッセージに基づいて取得したＤＳＰプログラムパラメータと、同メッセージから取得した機種ＩＤとをルールテーブル作成手段６ａに渡す。
ルールテーブル作成手段６ａは、制御手段１２ａから受け取った曲ＩＤと処理開始時間と圧縮方式情報とジャンル情報とＤＳＰプログラムパラメータと機種ＩＤとを対応付けてルールテーブル１１０に登録する（ステップＳ２０）。こうして、ユーザがエフェクト処理を変更したときの再生経過時間と変更されたＤＳＰプログラムパラメータとをルールテーブル１１０に登録する自動学習を行うことができる。
【００６７】
【発明の効果】
本発明によれば、曲の音声データの属性情報を記録手段に記録すると共に、ＤＳＰプログラムパラメータと属性情報とを対応付けたルールテーブルを用意し、再生対象となる曲の音声データの属性情報に対応するＤＳＰプログラムパラメータをルールテーブルから取得してアンプ装置のＤＳＰに設定するようにしたことにより、再生装置や録音再生装置しか知り得ない情報（再生装置や録音再生装置が外部に逐次報告していない属性情報）に応じた制御を行うことができ、ユーザは曲の音声データごとにアンプ装置のＤＳＰを設定変更する必要がなくなるので、ＤＳＰの設定に要するユーザの負担を軽減することができる。また、再生装置や録音再生装置がアンプ装置を制御するため、アンプ装置を制御する機器を別途用意する必要がなく、既存のアンプ装置を利用することができるので、再生装置や録音再生装置側にＤＳＰ機能を付加する必要がなくなる。
【００６８】
また、ルールテーブルにＤＳＰの音場処理又は周波数特性処理の開始時間を指定する処理開始時間を加え、再生対象となる曲の音声データの属性情報に対応し、かつ音声データの再生経過時間と一致した処理開始時間に対応するＤＳＰプログラムパラメータをルールテーブルから取得するようにしたので、曲の音声データの再生経過時間に応じてＤＳＰの処理を変更しながら音声データを再生することができ、曲のシーンに応じた制御が可能となる。
【００６９】
また、曲の音声データの再生中に、アンプ装置の音場処理又は周波数特性処理が変更された場合、この変更された処理を示すＤＳＰプログラムパラメータと再生中の音声データの属性情報とを対応付けてルールテーブルに登録する学習手順を実行するようにしたことにより、ユーザが変更したＤＳＰプログラムパラメータをルールテーブルに登録することができ、ユーザの好みに応じたＤＳＰの処理を学習することができる。
【００７０】
また、曲の音声データの属性情報として、曲情報、アルバム情報、アーティスト情報、ジャンル情報を用いることにより、曲、アルバム、アーティスト、ジャンルに適した音場処理又は周波数特性処理を実施することができる。
【００７１】
また、曲の音声データの属性情報として、音声データが記録手段に記録される際の圧縮方式を示す圧縮方式情報を用いることにより、圧縮音声データの再生に適した音場処理又は周波数特性処理を実施することができる。
【図面の簡単な説明】
【図１】本発明の第１の実施の形態となる録音再生システムの構成を示すブロック図である。
【図２】図１の録音再生装置の記録時の動作を示すフローチャートである。
【図３】図１の録音再生装置の属性情報データベースで管理される曲の属性情報の対応関係を示す図である。
【図４】図１の録音再生装置のルールテーブルの１例を示す図である。
【図５】図１の録音再生装置の再生時の動作を示すフローチャートである。
【図６】本発明の第１の実施の形態において録音再生装置から送出される制御コマンドのフォーマット及びアンプ装置から送出されるメッセージのフォーマットを示す図である。
【図７】図１の録音再生装置のＤＳＰプログラムコードテーブルの１例を示す図である。
【図８】図１のアンプ装置のＤＳＰプログラムコードテーブルの１例を示す図である。
【図９】図１の録音再生装置のインプットコードテーブルの１例を示す図である。
【図１０】図１のアンプ装置のインプットコードテーブルの１例を示す図である。
【図１１】本発明の第１の実施の形態におけるＤＳＰプログラムパラメータ取得処理の詳細を示すフローチャートである。
【図１２】図１の録音再生装置のＤＳＰプログラム対応テーブルの１例を示す図である。
【図１３】本発明の第１の実施の形態におけるＤＳＰプログラムパラメータ設定処理の詳細を示すフローチャートである。
【図１４】本発明の第２の実施の形態となる曲ルールテーブルの構成を示す図である。
【図１５】本発明の第２の実施の形態における録音再生装置の再生時の動作を示すフローチャートである。
【図１６】本発明の第３の実施の形態となる録音再生システムの構成を示すブロック図である。
【図１７】図１６の録音再生装置の属性情報データベースで管理される曲の属性情報の対応関係を示す図である。
【図１８】図１６の録音再生装置のルールテーブルの１例を示す図である。
【図１９】本発明の第３の実施の形態におけるＤＳＰプログラムパラメータ取得処理の詳細を示すフローチャートである。
【符号の説明】
１、１ａ…録音再生装置、２…ＣＤドライブ装置、３…記録手段、４、４ａ…音声データ記録手段、５、５ａ…属性情報記録手段、６、６ａ…ルールテーブル作成手段、７、７ａ…再生手段、８、８ａ…ＤＳＰプログラムパラメータ取得手段、９…入力手段、１０…表示手段、１１…ネットワークインタフェース手段、１２、１２ａ、２７…制御手段、１３、２５…通信インタフェース手段、２１…アンプ装置、２２…インプットセレクタ、２３…ＤＳＰ、２４…パワーアンプ、２６…記憶手段。
【図１】
2004085893.tif 000003
【図２】
2004085893.tif 000004
【図３】
2004085893.tif 000005
【図４】
2004085893.tif 000006
【図５】
2004085893.tif 000007
【図６】
2004085893.tif 000008
【図７】
2004085893.tif 000009
【図８】
2004085893.tif 000010
【図９】
2004085893.tif 000011
【図１０】
2004085893.tif 000012
【図１１】
2004085893.tif 000013
【図１２】
2004085893.tif 000014
【図１３】
2004085893.tif 000015
【図１４】
2004085893.tif 000016
【図１５】
2004085893.tif 000017
【図１６】
2004085893.tif 000018
【図１７】
2004085893.tif 000019
【図１８】
2004085893.tif 000020
【図１９】
2004085893.tif 000021